(57)【要約】【課題】テニスラケットの両手打ちに適した握り方をもたらす。【解決手段】本発明の一実施形態のテニスラケット１０のハンドル１４は、ハンドルの長手方向に直交する該ハンドルの断面において、前記テニスラケットのラケット面２０（平行面２２）に直交する方向の全長である第１ハンドル長さＬａは、前記ラケット面に平行な方向の全幅である第２ハンドル長さＬｂよりも長い、という構成を有する。【選択図】図３
2020182618.tif 000002
【特許請求の範囲】
【請求項１】
テニスラケットのハンドルであって、
前記ハンドルの長手方向に直交する該ハンドルの断面において、前記テニスラケットのラケット面に直交する方向の全長である第１ハンドル長さは、前記ラケット面に平行な方向の全幅である第２ハンドル長さよりも長い、
ハンドル。
【請求項２】
前記ハンドルの前記断面において、前記第１ハンドル長さは前記第２ハンドル長さの１．２５倍以上３倍以下の長さを有する、
請求項１に記載のハンドル。
【請求項３】
１対の第１ハンドル面と、１対の第２ハンドル面とを備え、
前記第１ハンドル面は、前記ラケット面に対して略直交するように延び、
前記第２ハンドル面は、前記ラケット面に略平行に延び、
前記断面において、前記第１ハンドル面は、前記第２ハンドル面よりも長く、
前記断面において、前記第１ハンドル面は、２０ｍｍ以上５０ｍｍ以下の長さを有する、
請求項１又は２に記載のハンドル。
【請求項４】
前記テニスラケットのユーザが前記１対の第２ハンドル面の一方に該ユーザの手の親指と人差し指の付け根部を押し当てるようにして前記ハンドルを握るとき、
前記１対の第１ハンドル面の一方に前記ユーザの前記手の前記付け根部から前記親指の第１関節までの範囲が接し、前記１対の第１ハンドル面の他方に前記ユーザの前記手の前記付け根部から前記人差し指の第２関節までの範囲が接するように、
前記ハンドルは設計されている、
請求項３に記載のハンドル。
【請求項５】
請求項１から４のいずれか一項に記載のハンドルを備えたテニスラケット。
【発明の詳細な説明】
【技術分野】
【０００１】
本発明は、テニスラケットに関し、特に両手打ちに適したテニスラケットに関する。
【背景技術】
【０００２】
テニスを行っているとき、テニスラケットのラケット面を適正な方向に向けるため、プレーヤー（ユーザー）は、例えば、テニスラケットのラケット面に触ったり、テニスラケットのハンドルの感触に頼ったりする。例えば、テニスラケットの改良に際して、テニスラケットのハンドルのそのような感触に着目することが提案されている（例えば特許文献１参照）。
【先行技術文献】
【特許文献】
【０００３】
【特許文献１】特表平６−５０６１３５号公報
【発明の概要】
【発明が解決しようとする課題】
【０００４】
ところで、テニスラケットでの打ち方には、サービスなどの場合を除き、片手打ちと両手打ちとがある。このうちの両手打ちは、特に子供や女性、更には高齢者にとって腕力等の観点から相応しいものである。また、両手打ちは、所謂「テニス肘」という問題においても片手打ちに比べて生じ難いという利点を有する。しかし、一般に片手打ちと両手打ちとでは、テニスラケットは同じである。
【０００５】
一方、テニスラケットのハンドル（グリップ）の握り方には、例えばイースタングリップやウエスタングリップなど種々の握り方がある。それら握り方でのラケット操作のためには、プレーヤーは練習してその握り方及びそれに応じた打ち方をマスターする必要があるので、握り方は、テニスの難しさの要因の１つになっている。更に、テニスの試合中に、フォアハンドストロークとバックハンドストロークとでハンドルの握り方を変える場合には、これは尚更である。
【０００６】
そこで、本発明は、かかる点に鑑みて創案されたものであり、その目的は、テニスラケットの両手打ちに適した握り方をもたらすことにある。
【課題を解決するための手段】
【０００７】
上記目的を達成するために、本発明の一態様は、
テニスラケットのハンドルであって、
前記ハンドルの長手方向に直交する該ハンドルの断面において、前記テニスラケットのラケット面に直交する方向の全長である第１ハンドル長さは、前記ラケット面に平行な方向の全幅である第２ハンドル長さよりも長い、
ハンドル
を提供する。
【０００８】
好ましくは、前記ハンドルの前記断面において、前記第１ハンドル長さは前記第２ハンドル長さの１．２５倍以上３倍以下の長さを有する。
【０００９】
好ましくは、前述のハンドルは、１対の第１ハンドル面と、１対の第２ハンドル面とを備え、前記第１ハンドル面は、前記ラケット面に対して略直交するように延び、前記第２ハンドル面は、前記ラケット面に略平行に延び、前記断面において、前記第１ハンドル面は、前記第２ハンドル面よりも長く、前記断面において、前記第１ハンドル面は、２０ｍｍ以上５０ｍｍ以下の長さを有するとよい。
【００１０】
前記テニスラケットのユーザが前記１対の第２ハンドル面の一方に該ユーザの手の親指と人差し指の付け根部を押し当てるようにして前記ハンドルを握るとき、前記１対の第１ハンドル面の一方に前記ユーザの前記手の前記付け根部から前記親指の第１関節までの範囲が接し、前記１対の第１ハンドル面の他方に前記ユーザの前記手の前記付け根部から前記人差し指の第２関節までの範囲が接するように、前記ハンドルは設計されているとよい。
【００１１】
本発明は、前述のハンドルを備えたテニスラケットにも存する。
【発明の効果】
【００１２】
本発明の上記一態様によれば、テニスラケットの両手打ちに適した握り方をもたらすことが可能になる。
【図面の簡単な説明】
【００１３】
【図１】本発明の一実施形態に係るテニスラケットの正面図である。
【図２】図１のテニスラケットのハンドルの図であり、（ａ）は図１の向きでの図であり、（ｂ）は図１の矢印ＩＩの方向からの図である。
【図３】図１のテニスラケットの、図１のＩＩＩ−ＩＩＩ線断面図である。
【図４】図１のテニスラケットのハンドルの握り方を説明するための図である。
【図５】図１のテニスラケットのハンドルを握ったところを表した図である。
【図６】図１のテニスラケットのハンドルの別の態様を表す図であり、（ａ）は図２（ａ）に相当する図であり、（ｂ）は図２（ｂ）に相当する図である。
【図７】本発明の別の実施形態に係るテニスラケットの、図１のＩＩＩ−ＩＩＩ線断面図に相当する図である。
【図８】本発明の更に別の実施形態に係るテニスラケットの、図１のＩＩＩ−ＩＩＩ線断面図に相当する図である。
【発明を実施するための形態】
【００１４】
以下、本発明の実施形態について図面を参照して説明する。同一の部品（又は構成）には同一の符号を付してあり、それらの名称及び機能も同じである。したがって、それらについての詳細な説明は繰返さない。
【００１５】
図１は、本発明の一実施形態に係るテニスラケット１０の正面図である。テニスラケット１０は、硬式テニス用のラケットである。テニスラケット１０は、フレーム１２と、フレーム１２に装着されたハンドル１４とを有する。図１から明らかなように、フレーム１２とハンドル１４とは１つの平面上（図１では紙面上）に並ぶ。テニスラケット１０は、ハンドル１４の長手方向（つまり軸線１４Ａの方向）に長い。
【００１６】
フレーム１２は、略円形に成形されたヘッド部１６と、ヘッド部１６から延出するシャフト部１８とを有する。ヘッド部１６には、ストリング（ガット）が縦方向及び横方向に張設される。これにより略円形の打球面つまりラケット面２０がプレーム１２に形成される。このようにヘッド部１６は、ラケット面２０を囲むためのフレームである。シャフト部１８は、ハンドル１４が装着される側が１本の棒状部分となっており、また、ヘッド部１６側が二股に分岐した分岐部分となっている。
【００１７】
ハンドル１４を図２及び図３に示す。図２（ａ）は図１に表すテニスラケット１０のハンドル１４の部分であり、図２（ｂ）は図１におけるハンドル１４を図１の矢印ＩＩ方向から見た図である。つまり、図２（ａ）はハンドル１４の正面図であり、図２（ｂ）はハンドル１４の右側面図である。図３は、図１のＩＩＩ−ＩＩＩ線に沿ったハンドル１４の位置でのテニスラケット１０の断面図である。なお、図２（ｂ）及び図３では、ラケット面２０を平面と仮定して、その平面を含むように定めた平行面２２を表している。また、図３では、ハンドル１４の長手方向に延びる軸線１４Ａと、この軸線１４Ａを通りかつ平行面２２に直交する直交面２４とを表している。なお、本実施形態では、ハンドル１４は、その軸線１４Ａに沿った各位置で太さ及び形状は概ね変化せず、略一定の太さ及び形状を有するように形作られている。したがって、ハンドル１４において、軸線１４Ａに沿った任意の箇所での軸線１４Ａに直交する断面形状は概ね同じである。
【００１８】
ハンドル１４は、１対の第１ハンドル面２６と、１対の第２ハンドル面２８とを備えている。１対の第１ハンドル面２６は互いに対して反対側を向くように延在し、その各々はラケット面２０つまり平行面２２に対して略直交するように延びていて、直交面２４に概ね平行である。１対の第２ハンドル面２８は互いに対して反対側を向くように延在し、その各々はラケット面２０に略平行に延び、平行面２２に概ね平行である。そして、ハンドル１４は、その断面形状が略８角形であり、第１ハンドル面２６と第２ハンドル面２８とは、面取り面３０を介してつながっている。なお、各面取り面３０は、ここでは平行面２２及び直交面２４のそれぞれに対して約４５°で傾いている。
【００１９】
ハンドル１４の長手方向に延びる軸線１４Ａに直交する該ハンドル１４の断面（例えば図３参照）において、テニスラケット１０のラケット面２０つまり平行面２２に直交する方向（以下、直交方向）の全長である第１ハンドル長さＬａは、ラケット面２０つまり平行面２２に平行な方向（以下、平行方向）の全幅である第２ハンドル長さＬｂよりも長い。ハンドル１４の断面（例えば図３参照）において、第１ハンドル長さＬａは第２ハンドル長さＬｂの１．２５倍以上３倍以下の長さを有する。第１ハンドル長さＬａが第２ハンドル長さＬｂの１．２５倍以上である理由は、プレーヤー（ユーザー）がハンドルを握ったときに、プレーヤーが、その感触のみで、ハンドル１４の向きつまりラケット面２０の向きを容易に理解し易くするためである。第１ハンドル長さＬａが第２ハンドル長さＬｂの３倍以下である理由は、プレーヤーがハンドル１４を握ったときに、プレーヤーが、ハンドル１４を十分にしっかりと握ることをより適切に実現するためである。
【００２０】
そして、ハンドル１４の断面（図３参照）において、第１ハンドル面２６は、第２ハンドル面２８よりも長い。その断面において、第１ハンドル面は、２０ｍｍ以上５０ｍｍ以下の長さを有する。
【００２１】
ここで、上記構成を有するテニスラケット１０のハンドル１４の握り方つまりグリップについて、図４及び図５に基づいて説明する。図４及び図５では、プレーヤーがハンドル１４を右手で握るところを表している。テニスラケット１０のプレーヤーは、１対の第２ハンドル面２８の一方にユーザの手の親指Ｆ１と人差し指Ｆ２の付け根部ＦＢを押し当てるようにしてハンドル１４を握ることができる。このとき、１対の第１ハンドル面２６の一方（図４で手前側に見えている面）に、プレーヤーの手の付け根部ＦＢから親指Ｆ１の第１関節Ｆ１１までの範囲（以下、第１範囲）が接するとよい。図４及び図５では、その一方の第１ハンドル面２６にプレーヤーの手の第１範囲がフィットしていて、第１ハンドル面２６の直交方向の長さは第１範囲の長さに概ね等しい。そして、１対の第１ハンドル面２６の他方（図４で裏側になっている面）に、プレーヤーの手の付け根部ＦＢから人差し指Ｆ２の第２関節Ｆ２２までの範囲（以下、第２範囲）が接するとよい。図４及び図５では、その他方の第１ハンドル面２６にプレーヤーの手の第２範囲がフィットしていて、第１ハンドル面２６の直交方向の長さは第２範囲の長さに概ね等しい。
【００２２】
ラケット面２０つまり水平面２２に直交するように延びる第１ハンドル面２６の直交方向の長さを２０ｍｍ以上としているのは、それが２０ｍｍであれば、図４及び図５に示すようにその２つの面を親指Ｆ１と人差し指Ｆ２で挟むように握るとき、その握りだけで、換言すると手の感触だけで、ラケット面２０の方向を十分に感知できるという、複数人に対するアンケート結果に基づいている。一方、ラケット面２０に直交するように延びる第１ハンドル面２６の直交方向の長さを５０ｍｍ以下としているのは、（子供や成人女性よりも一般に手の大きな）成人男性の人差し指Ｆ２の第２関節Ｆ２２と第３関節Ｆ２３との間隔が５０ｍｍ以下であることが多いことによる。
【００２３】
なお、第２ハンドル面２８は、プレーヤーの手の付け根部ＦＢにフィットする平行方向の長さを有するとよい。第２ハンドル面２８は、例えば１５ｍｍ以上４０ｍｍ以下の平行方向の長さであって、第１ハンドル面２６に応じた長さを有するとよい。
【００２４】
上記構成を有するハンドル１４を備えたテニスラケット１０の使用方法について説明する。ただし、以下の説明は一例であり、本発明は他の使用方法を排除するものではない。
【００２５】
プレーヤーが右利きのとき、非利き手の左手で、図４及び図５に基づいて説明したようにして、ハンドル１４を握る。つまり、プレーヤーは、１対の第２ハンドル面２８の一方にユーザの左手の親指と人差し指の付け根部を押し当てるようにしてハンドル１４を握る。このとき、１対の第１ハンドル面２６の一方がプレーヤーの左手の付け根部から親指の第１関節までの範囲に接し、１対の第１ハンドル面２６の他方がプレーヤーの左手の付け根部から人差し指の第２関節までの範囲に接するとよい。
【００２６】
そして、フォアハンドストローク（以下、フォアハンド）のとき、左手で把持する箇所よりもラケット面２０に近い側において、プレーヤーはその右手でテニスラケット１０のハンドル１４を更に握る。つまり、左手は、右手よりもハンドル１４のうちグリップエンド側に位置付けられる。このとき、左手の付け根部が面するのと同じ第２ハンドル面２８に右手の付け根部が面するように、プレーヤーは右手でハンドル１４を握る。このときの、右手でのハンドル１４の握り方は図４及び図５に基づいて説明した通りである。このときのプレーヤーによるハンドル１４における両手での握り方は、右手が左手に接しているが、概ね、日本刀の柄の握り方に似ている。
【００２７】
このようにハンドル１４を両手で握った状態で、ラケット面２０をテニスボールに対して押し出すように振ることで、プレーヤーはボールをフォアハンドで打つことができる。
【００２８】
一方、バックハンドストローク（以下、バックハンド）のとき、左手でのハンドル１４の把持つまりグリップは、フォアハンドのときと同じに維持される。これは、ハンドル１４の握る位置及び握り方の両方においてである。そして、バックハンドのとき、プレーヤーは、フォアハンドのときと同じラケット面２０を同じく打球面とするようにバックハンドに構え、右手で左手又はその付近のハンドル１４の部分を握る（或いはそれらに右手を添える）。
【００２９】
このようにハンドル１４を両手で握った状態で、フォアハンドのときと同じラケット面２０を打球面としてテニスボールに対して押し出すように振ることで、プレーヤーはボールをバックハンドで打つことができる。なお、このようにフォアハンドの打球面とバックハンドの打球面とを同じラケット面にすることは、所謂ソフトテニスのラケット面の使い方と同じである。
【００３０】
そして、フォアハンドからバックハンドへ、又は、バックハンドからフォアハンドへと短時間でラケットを扱うユーザのフォームを切り替えるとき、左手でのグリップはそのままにされる。つまり、この切り替えのとき、ラケット面２０つまり打球面は裏返さずに、左手でのグリップはそのままで、右手のグリップを体に無理のないように、故意に又は無意識に調整することが行われる。これにより、フォアハンドとバックハンドとの両方で、自然な流れで、両手打ちを容易に実現することができる。  
【００３１】
なお、サービスやスマッシュを行う際、プレーヤーは、利き手で、例えば図４及び図５に基づいて説明したようにしてハンドル１４を握ることができる。あるいは、プレーヤーに合った打ち方になるようにハンドル１４を握ることができる。
【００３２】
なお、プレーヤーが左利きのとき、上記説明における「右手」は「左手」に、「左手」は「右手」に置き換えられる。
【００３３】
上記構成のハンドル１４を有するテニスラケット１０では以下の効果及び作用が奏される。
【００３４】
ハンドル１４は上記構成を有するので、プレーヤーの片手でのハンドル１４の把持状態は、右利きのプレーヤーであれば左手での把持状態は、一義的に一律に定まるようになる。したがって、手の握りに応じて、打球面となるラケット面２０の向きが容易かつ適切に定まる。これにより、ユーザは、ハンドル１４の握りだけでラケット面２０をしっかり把握するとともにボールに向けて容易にラケット面２０を向けてテニスラケット１０を容易かつ適切に振ることができる。そして、右利きのプレーヤーであれば左手での握りに応じて、右手での握りを容易に定めることができる。したがって、上記テニスラケット１０及び上記ハンドル１４は、テニスラケット１０の両手打ちに適した握り方を好適にもたらすことができる。
【００３５】
また、上記ハンドル１４を備えたテニスラケット１０においては、フォアハンドも、バックハンドも、非利き手の握りを同じにして、簡単に両手打ちが可能になる。したがって、初心者等でも、フォアハンドも、バックハンドもそれほど練習しなくても、両手打ちである程度適切に行うことが可能になる。
【００３６】
また、ハンドル１４の上記握り方は、例えばウエスタングリップのような厚いグリップに相当する。したがって、子供、女性、高齢者などの非力なプレーヤーも、上記握り方をハンドル１４によって実現することで、力強くテニスボールを打ち返すことが可能になる。
【００３７】
以上、本発明の一実施形態に係るテニスラケット１０及びそのハンドル１４について説明した。しかし、種々の変更が可能である。例えば、図６に示すハンドル１１４のように、グリップエンド側からラケット面２０側に向けて、ハンドル１１４が細くなるように、ハンドル１１４を構成することも可能である。
【００３８】
また、本発明に係るハンドルの断面形状は上記の如く角張った形状であることに限定されない。図７に示すハンドル２１４のように、ハンドル２１４の断面は、楕円形であってもよい。なお、図７のハンドル２１４においても、第１ハンドル長さＬａは、第２ハンドル長さＬｂよりも長く、ハンドル２１４の断面（例えば図７参照）において、第１ハンドル長さＬａは第２ハンドル長さＬｂの１．２５倍以上３倍以下の長さを有する。また、第１ハンドル面２６及び第２ハンドル面２８のいずれか一方のみが丸みを帯びた形状のハンドルも可能である。例えば、図８に示すように、上記ハンドル１４から角をとるとともに部分的に又は全体的に膨らませたような形状のハンドル３１４も可能である。他に、日本刀の柄のような形状のハンドルも可能である。なお、図８のハンドル３１４などにおいても、第１ハンドル長さＬａは第２ハンドル長さＬｂよりも長く、ハンドル１４の断面において、第１ハンドル長さＬａは第２ハンドル長さＬｂの１．２５倍以上３倍以下の長さを有するとよい。
【００３９】
上記ハンドル１４、１１４、２１４、３１４を備えたテニスラケット１０は、硬式テニス用のテニスラケットであった。しかし、これらテニスラケットは、軟式テニスに用いられてもよい。
【００４０】
なお、テニスラケットの全体の大きさ、例えばフレーム１２の大きさに応じて、ハンドル１４、１１４、２１４、３１４の大きさ（寸法）は調整されるとよい。ハンドルは、子供用のテニスラケットでは子供の手に応じた大きさに、大人用のテニスラケットでは大人の手に応じた大きさに設計されるとよい。
【００４１】
以上、図面を参照して、本発明の実施形態を詳述してきたが、具体的な構成は、この実施形態に限らず、本発明の要旨を逸脱しない程度の設計的変更は、本発明に含まれる。
【符号の説明】
【００４２】
１０、１１０  テニスラケット
１２  フレーム
１４  ハンドル
１６  ヘッド部
１８  シャフト部
２０  ラケット面
２２  平行面
２４  直交面
２６  第１ハンドル面
２８  第２ハンドル面
３０  面取り面
【図１】
2020182618.tif 000003
【図２】
2020182618.tif 000004
【図３】
2020182618.tif 000005
【図４】
2020182618.tif 000006
【図５】
2020182618.tif 000007
【図６】
2020182618.tif 000008
【図７】
2020182618.tif 000009
【図８】
2020182618.tif 000010
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
テニスラケットのハンドルであって、
前記ハンドルの長手方向に直交する該ハンドルの断面において、前記テニスラケットのラケット面に直交する方向の全長である第１ハンドル長さは、前記ラケット面に平行な方向の全幅である第２ハンドル長さよりも長く、
１対の第１ハンドル面と、１対の第２ハンドル面とを備え、
前記第１ハンドル面は、前記ラケット面に対して略直交するように延び、
前記第２ハンドル面は、前記ラケット面に略平行に延び、
前記断面において、前記第１ハンドル面は、前記第２ハンドル面よりも長く、
隣り合う前記第１ハンドル面と前記第２ハンドル面とは、１つの面を介してつながっていて、
前記第１ハンドル面及び前記第２ハンドル面は、それぞれ、前記ハンドルの前記長手方向において、前記第１ハンドル面及び前記第２ハンドル面の箇所をプレーヤーが両手で握ることを可能にするような長さを有している、
ハンドル。
【請求項２】
前記ハンドルの前記断面において、前記第１ハンドル長さは前記第２ハンドル長さの１．２５倍以上３倍以下の長さを有する、
請求項１に記載のハンドル。
【請求項３】
前記断面において、前記第１ハンドル面は、２０ｍｍ以上５０ｍｍ以下の長さを有する、
請求項１又は２に記載のハンドル。
【請求項４】
前記断面において、前記ハンドルの断面形状は略８角形であり、
前記第１ハンドル面及び前記第２ハンドル面は、前記ハンドルの前記長手方向において、前記ハンドルの一端部から他端部にまで延在している、
請求項１から３のいずれか一項に記載のハンドル。
【請求項５】
請求項１から４のいずれか一項に記載のハンドルを備えたテニスラケット。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
テニスラケットのハンドルであって、
前記ハンドルの長手方向に直交する該ハンドルの断面において、前記テニスラケットのラケット面に直交する方向の全長である第１ハンドル長さは、前記ラケット面に平行な方向の全幅である第２ハンドル長さよりも長く、
１対の第１ハンドル面と、１対の第２ハンドル面とを備え、
前記第１ハンドル面は、前記ラケット面に対して略直交するように延び、
前記第２ハンドル面は、前記ラケット面に略平行に延び、
前記断面において、前記第１ハンドル面は、前記第２ハンドル面よりも長く、
隣り合う前記第１ハンドル面と前記第２ハンドル面とは、１つの面を介してつながっていて、
前記第１ハンドル面及び前記第２ハンドル面は、それぞれ、前記ハンドルの前記長手方向において、前記第１ハンドル面及び前記第２ハンドル面の箇所をプレーヤーが両手で握ることを可能にするような長さを有していて、
前記ハンドルの前記断面において、前記第１ハンドル長さは前記第２ハンドル長さの１．２５倍以上３倍以下の長さを有する、
ハンドル。
【請求項２】
前記断面において、前記第１ハンドル面は、２０ｍｍ以上５０ｍｍ以下の長さを有する、
請求項１に記載のハンドル。
【請求項３】
前記断面において、前記ハンドルの断面形状は略８角形であり、
前記第１ハンドル面及び前記第２ハンドル面は、前記ハンドルの前記長手方向において、前記ハンドルの一端部から他端部にまで延在している、
請求項１又は２に記載のハンドル。
【請求項４】
請求項１から３のいずれか一項に記載のハンドルを備えたテニスラケット。